(57)【要約】      （修正有）【課題】発光体として遷移元素添加光導波路を用いた光源装置から出力される光スペクトルの制御をおこない、結果的に可干渉長が制御された光源装置を提供する。【解決手段】発光体である遷移元素添加光導波路１０３，２０２の一方の端に光出力端１０５と該遷移元素添加光導波路１０３，２０２を励起するための励起光源１０１が光カプラ１０２を介し接続される光源装置において、光スイッチ２０１の切り替えにより遷移元素添加光導波路１０３，２０２の実質的な長さを変化させ得る手段を講じたことを特徴とする光源装置。【選択図】図２
2008192955.tif 000002
【特許請求の範囲】
【請求項１】
発光体として遷移元素添加光導波路を用いた光源装置において、Ｎ個（Ｎは２以上の整数）の遷移元素添加光導波路との接続を切り替えるための１入力Ｎ出力光スイッチの入力端に光出力端と遷移元素添加光導波を励起するための励起光源が光カプラを介し接続され、さらに該光スイッチのＮ個の出力端それぞれに長さの異なるＮ個の遷移元素添加光導波路が接続されることにより、光出力端から出力される光の可干渉長を変化させることを特徴とする光源装置。
【請求項２】
発光体として遷移元素添加光導波路を用いた光源装置において、遷移元素添加光導波路の一方の端に光出力端と遷移元素添加光導波を励起するための励起光源が光カプラを介し接続され、さらに該遷移元素添加光導波路は、Ｎ個（Ｎは２以上の整数）の遷移元素添加光導波路が光遮断機能を持つ１入力１出力光スイッチを介し直列に接続されていることにより、光出力端から出力される光の可干渉長を変化させることを特徴とする光源装置。
【請求項３】
遷移元素が希土類元素であることを特徴とする請求項１又は２に記載の光源装置。
【発明の詳細な説明】
【技術分野】
【０００１】
本発明は、可干渉性の制御方法およびその方法を用いた光源装置に関するものである。
【背景技術】
【０００２】
近年、計測、医療、バイオ分野の技術の進展は目覚ましく、それに応じて、これら分野で使用される光源への要求も多様化してきている。
【０００３】
光源には、ランプ、各種レーザ、ダイオードなどがある。これらは、それぞれの特徴に応じ、棲み分けが進むものと思われるが、近年の傾向として放射輝度の高い光源への要求が高い。これは、より微細な領域で光源が利用されてきていることと関係していると言える。
【０００４】
放射輝度の高い光源として、レーザ、特に使用が容易な半導体レーザ、が使用される場合も多い。しかし、レーザ特有の干渉性の高さは有用である場合もあるが、一部の用途では、例えば画像表示装置や照明光学装置などでは、歓迎されない性質であった。干渉性が高いことによって発生するスペックルを除く発明が提案されている。（特許文献１、特許文献２）
レーザ光ではない、即ち干渉性が比較的低い、半導体光源（ＬＥＤ、ＳＬＤ）も存在する。しかし、放射輝度が充分でなかったり、波長帯域が赤外に限られてしまったりしている。
【０００５】
干渉性については既にレーザ光についての知見がある（非特許文献１）。一般的には、対象となる光のマイケルソン干渉計における干渉縞を観察することで、可干渉長Ｌを求めることができる。また、この可干渉長Ｌは、
Ｌ＝ｃ／Δν  （但し、ｃ：光速、Δν：線幅）・・・式１
で、ほぼ表されることも知られている。また、光スペクトルにおけるパワーの半値を示す波長をλ1、λ2（λ1＜λ2）とすると、式１は、
Ｌ＝λ1・λ2／（λ2−λ1）・・・式２
とも表され、光スペクトルを制御により可干渉長の制御が可能であることが、示唆される。式２において、（λ２−λ１）が半値全幅にあたる。
【０００６】
発光体として遷移元素添加光導波路を用いた光源装置のうち、ＡＳＥ（Ａｍｐｌｉｆｉｅｄ  Ｓｐｏｎｔａｎｅｏｕｓ  Ｅｍｉｓｓｉｏｎ）光源においては、自然放出光成分と誘導放出によって増幅された成分とが混合されている。特に、高パワーなＡＳＥ光源では、誘導放出成分が多いため、先に述べた光スペクトルと可干渉長の関係を尺度として用いることができると考えられる。
【０００７】
発光体として遷移元素添加光導波路を用いた光源装置は、例えば、図１に示すように、主に、励起光源１０１、光カプラ１０２、遷移元素添加光導波路１０３、出力端１０５、無反射端１０４から構成される。励起光源１０１は、遷移元素添加光導波路１０３中の遷移元素を活性化するためのものである。光カプラ１０２は、励起光源１０１から出力される励起光を遷移元素添加光導波路１０３へ導き、かつ、遷移元素添加光導波路１０３からの光を出力端１０５へ導くためのものである。遷移元素添加光導波路１０３は、発光体として用いられており、これまで遷移元素添加光導波路１０３には、希土類元素添加光ファイバが多く用いられる。無反射端１０４は、遷移元素添加光導波路１０３で発生する光が無反射端１０４の方に伝播してくる光が再び遷移元素添加光導波路１０３へ折り返さないための処理を施したものである。この様な光源装置においては、使用される遷移元素添加光導波路、励起パワー等により、出力される光スペクトルが決定される。しかし、可干渉長を制御することを意図した光スペクトルの制御は、なされていない。
【０００８】
遷移元素として希土類元素を添加した光導波路を用いた光源装置に関しての提案がある（特許文献３、特許文献４、特許文献５）。これらの提案は、出力パワーの向上について提案されたものであって、可干渉長を制御することは、考慮されていない。
【０００９】
また、帯域の狭い反射体を用いて、線幅の狭い、レーザよりインコヒーレントな光源が発明されている（特許文献６）。しかし、一般的なファイバブラッググレーティング（ＦＢＧ）を用いた場合、線幅はオングストロームオーダーであるため、光スペクトルは急峻なピークとなる。この場合、可干渉長はレーザより短くなるが、一般的な広帯域光源などの可干渉長と比較すると可干渉長は長くなる。この方法では、一般的なＦＢＧの帯域幅が一般的に使用される光スペクトルアナライザの分解能よりも狭いこともあり、容易に制御されたスペクトルを得る方法としては、充分ではない。
【００１０】
更に、発光体として遷移元素添加光導波路を用いた光源装置において、可干渉長を能動的に制御することは、これまで提案されていない。
【００１１】
なお、遷移元素として希土類元素は、様々な波長の光を得ることが可能でありその組み合わせについても非特許文献２、３に紹介されている。また、遷移元素としてクロムは、ルビーレーザ等で使用されている。
【特許文献１】特開２００１−１８９５２０号公報
【特許文献２】特開平１１−３１２６３１号公報
【特許文献３】特開２００１−１１１１４５号公報
【特許文献４】特開２００２−３２９９０７号公報
【特許文献５】特開２００３−１３３６２１号公報
【特許文献６】特許第３３１２９３０号公報
【非特許文献１】大竹祐吉、レーザの使い方と注意点、オプトロニクス社、ｐ３３
【非特許文献２】Ｍｉｃｈｅｌ  Ｊ．  Ｆ．Ｄｉｇｏｎｎｅｔ，  Ｒａｒｅ−Ｅａｒｔｈ−Ｄｏｐｅｄ  Ｆｉｂｅｒ  Ｌａｓｅｒｓ  ａｎｄ  Ａｍｐｌｉｆｉｅｒｓ，Ｍａｅｃｅｌ  Ｄｅｋｋｅｒ，  Ｉｎｃ， ｐ１８
【非特許文献３】Ｍｉｃｈｅｌ  Ｊ．  Ｆ．Ｄｉｇｏｎｎｅｔ，  Ｒａｒｅ−Ｅａｒｔｈ−Ｄｏｐｅｄ  Ｆｉｂｅｒ  Ｌａｓｅｒｓ  ａｎｄ  Ａｍｐｌｉｆｉｅｒｓ，Ｍａｅｃｅｌ  Ｄｅｋｋｅｒ，  Ｉｎｃ， ｐ１７１−２４２
【発明の開示】
【発明が解決しようとする課題】
【００１２】
発光体として遷移元素添加光導波路を用いた光源装置において、可干渉長を能動的に制御することは、これまで提案されていない。
【００１３】
本発明では、発光体として遷移元素添加光導波路を用いた光源装置において、遷移元素添加光導波路を変更することなく出力光の可干渉長を制御できる光源装置を、提供することを目的としている。
【課題を解決するための手段】
【００１４】
本発明者らは、上記目的を達成するため、鋭意検討を重ねた結果、遷移元素添加光導波路の実質的な長さを変化させることにより出力光の可干渉長を抑制できることを見出し、本発明に到ったものである。
【００１５】
すなわち本発明は、発光体として遷移元素添加光導波路を用いた光源装置において、Ｎ個（Ｎは２以上の整数）の遷移元素添加光導波路との接続を切り替えるための１入力Ｎ出力光スイッチの入力端に光出力端と遷移元素添加光導波を励起するための励起光源が光カプラを介し接続され、さらに該光スイッチのＮ個の出力端それぞれに長さの異なるＮ個の遷移元素添加光導波路が接続されることにより、光出力端から出力される光の可干渉長を変化させることを特徴とする光源装置を提供するものである。
【００１６】
または、発光体として遷移元素添加光導波路を用いた光源装置において、遷移元素添加光導波路の一方の端に光出力端と遷移元素添加光導波を励起するための励起光源が光カプラを介し接続され、さらに該遷移元素添加光導波路は、Ｎ個（Ｎは２以上の整数）の遷移元素添加光導波路が光遮断機能を持つ１入力１出力光スイッチを介し直列に接続されていることにより、光出力端から出力される光の可干渉長を変化させることを特徴とする光源装置を提供するものである。
【００１７】
さらには、遷移元素が希土類元素であることを特徴とする光源装置を提供するものである。
【発明の効果】
【００１８】
本発明により、発光体として遷移元素添加光導波路を用いた光源装置において、可干渉長が制御された出力光を提供できる。
【発明を実施するための最良の形態】
【００１９】
本発明は、上記課題を解決するために、発光体として遷移元素添加光導波路を用いる光源装置において、遷移元素添加光導波路の実質的な長さを変化させ得る手段を講じたことを特徴とする光源装置である。
【００２０】
ここで述べる光導波路は、コアクラッド構造を有するものを指しており、光ファイバや基板上等にコアクラッド構造を施した光導波路を指す。
【００２１】
可干渉長は、光スペクトルの線幅あるいは半値全幅と関係づけられるため、光スペクトルの制御により結果的に可干渉長を制御することが可能となる。
【００２２】
本発明は遷移元素添加光導波路の実質的な長さを変化させ得る手段として２つの方法により実施できる。
【００２３】
第一の方法は、複数の遷移元素添加光導波路が光スイッチを介して並列に接続された遷移元素添加光導波路を発光体として用いる方法であり、図を参照しながら詳細に説明する。
【００２４】
図２は、本発明の光源装置の一例を示す模式図である。本光源装置は、励起光源１０１、光カプラ１０２、遷移元素添加光導波路１０３及び２０２、出力端１０５、無反射端１０４、光スイッチ２０１から構成される。
【００２５】
励起光源１０１は、２つの遷移元素添加光導波路１０３及び２０２中の遷移元素を活性化するためのものであるため、遷移元素の種類および得ようとする出力光の波長により、適当な波長を含むものを選択する必要がある。例えば、ランプ、半導体レーザ、ファイバ結合半導体レーザ、半導体レーザ励起固体レーザ、半導体レーザ励起ファイバレーザ、半導体レーザ励起ラマンレーザおよび、これらの波長変換レーザなどを使用することができる。半導体レーザについては、必要に応じ、励起光源１０１と光カプラ１０２の間にアイソレータを挿入されたものを使用しても良い。また、励起波長が複数の波長の光からなっても良い。
【００２６】
光カプラ１０２は、励起光源１０１から出力される励起光を遷移元素添加光導波路１０３又は２０２へ導き、かつ、遷移元素添加光導波路から出力される光を出力端１０５へ導くためのものである。例えば、溶融延伸により作製されたものなどがあるが、特にこの製法に拘る必要はなくどのような製造過程を経て得られたものであっても、前述の機能が備わっていれば構わない。
【００２７】
２つの遷移元素添加光導波路１０３及び２０２は、光導波路の主にコア部に遷移元素を添加したものを指す。
【００２８】
２つの遷移元素添加光導波路１０３と２０２には同種の遷移元素、あるいはそれぞれが異なる種類の遷移元素が添加されていても良いし、その濃度、導波路の長さが異なっていても良い。
【００２９】
また、光導波路を構成する母材は、石英系、フッ化物系、又はカルコゲナイド系のガラス、あるいはゾルゲル法により作製されたガラス等、コアクラッド構造を作製可能であれば、どのようなガラスであっても構わない。
【００３０】
出力端１０５からは、光源として使用される光が出力される。出力端１０５に、出力端からの反射光が遷移元素添加光導波路１０３へ戻らないような反射低減膜が施されても良いし、同じ目的で、光カプラ１０２と出力端１０５との間にアイソレータを設けても良い。
【００３１】
光スイッチ２０１は、２つの遷移元素添加光導波路１０３及び２０２と光カプラ１０２との間に配置され、スイッチの切り替えにより光カプラ１０２に接続される遷移元素添加光導波路を選択できる。さらに該光スイッチは、励起光および遷移元素添加光導波路が発生する光の波長を考慮し選択され、少なくとも励起光と、得ようとする波長帯の光の両方を同時に切り替える特性を持つ必要がある。
【００３２】
光源装置の光回路を構成するこれら光部品は、光導波路で接続されてよく、光ファイバがより好ましい。特に光出力端は、ステップインディックス型の光ファイバが好ましい。また、可能であれば、接続損失の低減のため、光部品に使用する光ファイバとそれらを接続する光ファイバの種類は統一された方がよい。これらの光ファイバは、得ようとする光に対して、シングルモードであることが理想的である。しかし、諸事情からそれら不可能な場合は、できるだけ低次のモードだけが許されるように設計されるのが良い。
【００３３】
また、光導波路の利用以外による光部品の接続として、空間光学系を利用し、等価な光学系を形成しても構わない。
【００３４】
第二の方法は、複数の遷移元素添加光導波路が光スイッチを介して直列に接続された遷移元素添加光導波路を発光体として用いる方法であり、図を参照しながら詳細に説明する。
【００３５】
図３は、本発明の光源装置の一例を示す模式図である。本光源装置は、励起光源１０１、光カプラ１０２、２つの遷移元素添加光導波路１０３及び２０２、出力端１０５、無反射端１０４、光スイッチ２０３から構成される。
【００３６】
励起光源１０１は、２つの遷移元素添加光導波路１０３及び２０２中の遷移元素を活性化するためのものであるため、遷移元素の種類および得ようとする出力光の波長により、適当な波長を含むものを選択する必要がある。例えば、ランプ、半導体レーザ、ファイバ結合半導体レーザ、半導体レーザ励起固体レーザ、半導体レーザ励起ファイバレーザ、半導体レーザ励起ラマンレーザおよび、これらの波長変換レーザなどを使用することができる。半導体レーザについては、必要に応じ、励起光源１０１と光カプラ１０２の間にアイソレータを挿入されたものを使用しても良い。また、励起波長が複数の波長の光からなっても良い。
【００３７】
光カプラ１０２は、励起光源１０１から出力される励起光を遷移元素添加光導波路１０３、更には、２０２へ導き、かつ、遷移元素添加光導波路から出力される光を出力端１０５へ導くためのものである。例えば、溶融延伸により作製されたものなどがあるが、特にこの製法に拘る必要はなくどのような製造過程を経て得られたものであっても、前述の機能が備わっていれば構わない。
【００３８】
２つの遷移元素添加光導波路１０３及び２０２は、光導波路の主にコア部に遷移元素を添加したものを指す。
【００３９】
２つの遷移元素添加光導波路１０３と２０２には同種の遷移元素、あるいはそれぞれが異なる種類の遷移元素が添加されていても良いし、その濃度、導波路の長さが異なっていても良い。
【００４０】
また、光導波路を構成する母材は、石英系、フッ化物系、又はカルコゲナイド系のガラス、あるいはゾルゲル法により作製されたガラス等、コアクラッド構造を作製可能であれば、どのようなガラスであっても構わない。
【００４１】
出力端１０５からは、光源として使用される光が出力される。出力端１０５に、出力端からの反射光が遷移元素添加光導波路１０３へ戻らないような反射低減膜が施されても良いし、同じ目的で、光カプラ１０２と出力端１０５との間にアイソレータを設けても良い。
【００４２】
光スイッチ２０３は、２つの遷移元素添加光導波路１０３と２０２との間に配置され、スイッチの切り替えにより光の通過が可能となったり、不可能となったりする。さらに該光スイッチは、励起光および遷移元素添加光導波路が発生する光の波長を考慮し選択され、少なくとも励起光と、得ようとする波長帯の光の両方を同時に切り替える特性を持つ必要がある。
【００４３】
光源装置の光回路を構成するこれら光部品は、光導波路で接続されてよく、光ファイバがより好ましい。特に光出力端は、ステップインディックス型の光ファイバが好ましい。また、可能であれば、接続損失の低減のため、光部品に使用する光ファイバとそれらを接続する光ファイバの種類は統一された方がよい。これらの光ファイバは、得ようとする光に対して、シングルモードであることが理想的である。しかし、諸事情からそれら不可能な場合は、できるだけ低次のモードだけが許されるように設計されるのが良い。
【００４４】
また、光導波路の利用以外による光部品の接続として、空間光学系を利用し、等価な光学系を形成しても構わない。
【００４５】
上記の本発明の説明では、２つの遷移元素添加光導波路を用いた場合について記載したが、遷移元素添加光導波路の数は２つに拘る必要はなく、２つ以上の遷移元素添加光導波路を直列または並列、更にはそれらを組み合わせて用いることもできる。
【００４６】
さらに、遷移元素のうち例えば鉄族元素の場合は、ホストとなる材料や配位子場に発光波長などが大きく左右されるが、希土類元素ではその様な効果が比較的小さいため、より好ましい。
以下、実施例を挙げて本発明を説明する。
【実施例１】
【００４７】
図２は、本発明の光源装置の一例を示す模式図である。本実施例は図２と同様の構成で行った。本光源装置は、励起光源１０１、光カプラ１０２、遷移元素添加光導波路１０３及び２０２、出力端１０５、無反射端１０４、光スイッチ２０１から構成される。
【００４８】
遷移元素添加光導波路１０３には、エルビウム添加フッ化物光ファイバを用いた。ここでは、Ｅｒ３＋の５４３ｎｍ帯の光を得るために、この光ファイバを用いた。Ｅｒ３＋濃度は、３０００ｐｐｍ、長さは２１ｃｍであった。
【００４９】
遷移元素添加光導波路２０２には、エルビウム添加フッ化物光ファイバを用いた。ここでは、Ｅｒ３＋の５４３ｎｍ帯の光を得るために、この光ファイバを用いた。Ｅｒ３＋濃度は、６０００ｐｐｍ、長さは９９ｃｍであった。
【００５０】
励起光源１０１は波長９７４ｎｍのＢｏｏｋｈａｍ社製半導体レーザを用いた。
【００５１】
光カプラ１０２は、励起光源１０１より発せられる励起光と励起光により賦活された遷移元素添加光導波路より発せられる、得ようとする波長帯域の光を合分波可能な溶融延伸型の光カプラを用いた。
【００５２】
光スイッチ２０１は、スイッチの切り替えにより、励起光と、並列に接続されている２つの遷移元素添加光導波路１０３及び２０２のいずれか１つのみより発せられる、得ようとする波長帯域の光とを透過させることができるものを用いた。
【００５３】
励起光源１０１から出射した励起光は、光スイッチ２０１の切り替えにより接続されている２つの遷移元素添加光導波路１０３及び２０２のうち、光を透過できるように選択された方のエルビウム添加フッ化物光ファイバ中のエルビウムを活性化させ、充分に励起されたエルビウム添加フッ化物光ファイバは５４３ｎｍの蛍光を発する。この蛍光は、本来、指向性無く発せられるが、遷移元素添加光導波路のコアクラッド構造により、エルビウム添加フッ化物光ファイバのコア中を伝搬し、図２に示される光スイッチ２０１と無反射端１０４の方向へ進む。光スイッチ２０１の方向へ進んだ光は、光カプラ１０２を経由し出射端１０５まで伝搬し出射される。この光は一部の光が増幅されたＡＳＥ光である。
【００５４】
光スイッチ２０１を切り替え、並列に並んだ２つの遷移元素添加光導波路１０３及び２０２を切り替え使用することで、長さの異なる光ファイバから同じ波長帯の光でありながら異なる光スペクトルが得られる。
【００５５】
出力が４００ｍＷの励起光を投入し、光スイッチの切り替えで実質的なファイバ長が、遷移元素添加光導波路１０３だけ用いた場合の２１cmの時と、遷移元素添加光導波路２０２だけを用いた場合の９５ｃｍの時の光出力をそれぞれ、安藤電気製光スペクトラムアナライザＡＱ−６３１５で測定した。さらに、測定された光のスペクトルより得られるパワーの半値を示す２つの波長λ１とλ２及びこれらの値から算出される半値全幅（ＦＷＨＭ）と可干渉長を表１に記載した。
【００５６】
【表１】
2008192955.tif 000003
【００５７】
ファイバ長が短い方の遷移元素添加光導波路１０３から得られる光スペクトルは比較的平坦な形状となり、ファイバ長が長い方の遷移元素添加光導波路２０２から得られる光スペクトルは短い場合のそれよりも急峻なスペクトル形状となった。そのため、異なるＦＷＨＭの蛍光スペクトルが得られた。
【００５８】
光スイッチの切り替えにより、実質的なファイバ長を変化させることが可能となり、結果的に可干渉長をその場で変化させることが可能となった。
【実施例２】
【００５９】
図３は、本発明の光源装置の一例を示す模式図である。本実施例は図３と同様の構成で行った。本光源装置は、励起光源１０１、光カプラ１０２、遷移元素添加光導波路１０３及び２０２、出力端１０５、無反射端１０４、光スイッチ２０３から構成される。
【００６０】
遷移元素添加光導波路１０３には、エルビウム添加フッ化物光ファイバを用いた。ここでは、Ｅｒ３＋の５４３ｎｍ帯の光を得るために、この光ファイバを用いた。Ｅｒ３＋濃度は、３０００ｐｐｍ、長さは２１ｃｍであった。
【００６１】
遷移元素添加光導波路２０２には、エルビウム添加フッ化物光ファイバを用いた。ここでは、Ｅｒ３＋の５４３ｎｍ帯の光を得るために、この光ファイバを用いた。Ｅｒ３＋濃度は、３０００ｐｐｍ、長さは７７ｃｍであった。
【００６２】
励起光源１０１は波長９７４ｎｍのＢｏｏｋｈａｍ社製半導体レーザを用いた。
【００６３】
光カプラ１０２は、励起光源１０１より発せられる励起光とその励起光により賦活された遷移元素添加光導波路１０３より発せられる、得ようとする波長帯域の光を合分波可能な溶融延伸型の光カプラを用いた。
【００６４】
光スイッチ２０３は、スイッチの切り替えにより励起光と、遷移元素添加光導波路より発せられる、得ようとする波長帯域の光の両方を透過させたり、遮蔽したりできる光スイッチを用いた。
【００６５】
励起光源１０１から出射した励起光は、遷移元素添加光導波路１０３であるエルビウム添加フッ化物光ファイバ中のエルビウムを活性化させ、充分に励起されたエルビウム添加フッ化物光ファイバは５４３ｎｍの蛍光を発する。この蛍光は、本来、指向性無く発せられるが、遷移元素添加光導波路１０３のコアクラッド構造により、エルビウム添加フッ化物光ファイバのコア中を伝搬し、図３に示される光カプラ１０２と光スイッチ２０３の方向へ進む。光カプラ１０２方向へ進んだ光は、出射端１０５まで伝搬し出射される。この光は一部の光が増幅されたＡＳＥ光である。
【００６６】
光スイッチ２０３が光を遮断した場合は、遷移元素添加光導波路１０３で発生した光だけが出力される。
【００６７】
光スイッチ２０３が光を透過させる場合は、遷移元素添加光導波路２０２も励起され、遷移元素添加光導波路２０２で発生した光も出射端１０５から出力される。遷移元素添加光導波路２０２で発生した光が出射端１０５の方向へ伝搬する際に、遷移元素添加光導波路１０３を通過するため増幅作用を受ける。
【００６８】
出力が４００ｍＷの励起光を投入し、光スイッチの切り替えにより実質的なファイバ長が、遷移元素添加光導波路１０３だけの場合の２１ｃｍの時と、２つの遷移元素添加光導波路１０３及び２０２を一緒に用いた場合の９８ｃｍの時の光出力をそれぞれ、安藤電気製光スペクトラムアナライザＡＱ−６３１５で測定した。さらに、測定された光のスペクトルより得られるパワーの半値を示す２つの波長λ１とλ２及びこれらの値から算出される半値全幅（ＦＷＨＭ）と可干渉長を表２に記載した。
【００６９】
【表２】
2008192955.tif 000004
【００７０】
光スイッチ２０３が光を遮断し実質的なファイバ長が短い方の遷移元素添加光導波路から得られる光スペクトルは比較的平坦な形状となり、光スイッチ２０３が光を透過させ実質的なファイバ長が長い方の遷移元素添加光導波路から得られる光スペクトルは短い場合のそれよりも急峻なスペクトル形状となった。そのため、同じ波長帯の光でありながら異なる光スペクトルが得られ、異なるＦＷＨＭの蛍光スペクトルが得られた。
【００７１】
光スイッチの切り替えにより、実質的なファイバ長を変化させることが可能となり、結果的に可干渉長をその場で変化させることが可能となった。
【産業上の利用可能性】
【００７２】
本発明は、光通信分野における通信システムはもちろん、評価・測定など光伝送の応用分野にも利用できるものである。イメージングデバイス、医療用光源、分析用光源には好適である。
【００７３】
より具体的には、光通信用の信号、監視用の光源、光学的病理検査装置用の光源、腫瘍マーカなどの蛍光色素の励起用光源、口腔組織観察装置用の光源、外科手術用のファイバ光源などの内視鏡用光源、光断層画像装置などのＯＣＴ用光源、微粒観察用顕微鏡などの各種光学顕微鏡用の光源、光学検査装置用の光源、流体の色特性測定装置用の光源、微小異物検査装置用の光源、フィルタ検査装置用の光源、各種センサなど検査用光源等の用途にも使用できる。
【００７４】
また、蛍光表示、ポインタ、光記憶装置、ホログラフィー等で、必要となる光源としても使用できる。
【図面の簡単な説明】
【００７５】
【図１】従来型の光源装置
【図２】本発明における光源装置の一例
【図３】本発明における光源装置の一例
【符号の説明】
【００７６】
１０１    励起光源
１０２    光カプラ
１０３    遷移元素添加光導波路
１０４    無反射端
１０５    出力端
２０１    光スイッチ
２０２    遷移元素添加光導波路
２０３    光スイッチ
【図１】
2008192955.tif 000005
【図２】
2008192955.tif 000006
【図３】
2008192955.tif 000007